(57)【特許請求の範囲】
【請求項１】
複数の入力信号から所望の入力信号を選択する入力選択手段と、前記入力選択手段により選択された入力信号から所定のバンド毎に各周波数成分を抽出するバンドパスフィルタと、前記バンドパスフィルタにより抽出された各バンドの信号レベルを検出するレベル検出手段と、前記レベル検出手段によって検出された各バンドの信号レベルの大小を表示可能な表示手段と、前記表示手段における信号レベルの大小の表示あるいは非表示を前記各バンド毎に選択するバンド選択手段と、前記入力選択手段および前記バンド選択手段を制御する制御手段と、前記制御手段を操作する操作手段とを備え、
前記制御手段は、前記操作手段の操作により前記入力選択手段の選択を切り換えるとともに、前記入力選択手段の選択に応じて前記バンド選択手段が各バンドの表示あるいは非表示の選択を切り換える構成としたことを特徴とする表示装置。
【請求項２】
構造が異なる複数種類の記録媒体を再生可能な再生装置に備えられ、前記再生装置が再生する記録媒体の構造に応じて前記入力選択手段が入力信号の選択を行うとともに前記バンド選択手段が各バンドの表示あるいは非表示の選択を切り換える構成としたことを特徴とする請求項１記載の表示装置。
【請求項３】
音響情報記録書式が異なる複数種類の記録媒体を再生可能な再生装置に備えられ、前記再生装置が再生する記録媒体の音響情報記録書式に応じて前記入力選択手段が入力信号の選択を行うとともに前記バンド選択手段が各バンドの表示あるいは非表示の選択を切り換える構成としたことを特徴とする請求項１〜２のいずれかに記載の表示装置。
【発明の詳細な説明】
【０００１】
【発明の属する技術分野】
本発明は、音響信号の周波数成分の分布を分析して表示する表示装置に関するものである。
【０００２】
【従来の技術】
従来、ＭＤ（Ｍｉｎｉ  Ｄｉｓｃ）やＣＤ（Ｃｏｍｐａｃｔ  Ｄｉｓｃ）、カセットテープなど複数の記録媒体を再生可能な再生装置に、音響信号の周波数成分の分布を分析して表示する表示装置が備えたものが普及している。この表示装置は、再生装置が再生する音響信号を所定のバンドに分割して各周波数成分の分布を分析し、各バンドの信号レベルの大小を表示するものである。例えば７バンドの表示装置であれば、１００Ｈｚ、２２０Ｈｚ、４７０Ｈｚ、１ｋＨｚ、２．２ｋＨｚ、４．７ｋＨｚ、１０ｋＨｚの各バンド毎のレベルを示す周波数成分が表示部に表示される。各バンドの周波数はこの例に限らないが、最高バンドの周波数は一般的に１０ｋＨｚ〜１６ｋＨｚに設定されている。これはＭＤやＣＤ、カセットテープなどの記録媒体の再生周波数域が２０ｋＨｚ以下であり、可聴周波数を超えるバンドのレベル表示は必要ないためである。
【０００３】
しかし、近年の記録媒体の構造および記録方式における技術進歩により、例えばＤＶＤ−ａｕｄｉｏの再生可能な周波数域は９６ｋＨｚにまで及んでおり、可聴周波数を超えるバンドのレベル表示が求められている。
【０００４】
【発明が解決しようとする課題】
自然界の音響は周波数が高くなるにつれレベルが小さくなる傾向がある。このため、可聴周波数のバンドと同一スケールで可聴周波数を超えるバンドを表示するには、より高感度のレベル表示が必要になる。ところが、ＭＤやＣＤ、ＦＭ放送の再生信号には、可聴周波数超える周波数帯域にエリアジングノイズやパイロット信号等のノイズを含んでいる。これらのノイズを含んだ再生信号を、可聴周波数を超えるバンドにレベル表示を備えた表示装置で表示すると、可聴周波数を超えるバンドには音響信号が含まれてないにもかかわらず前述のノイズにより当該バンドのレベルを誤表示するという問題がある。
【０００５】
また、高感度のレベル表示を行う場合は帯域分割フィルターのＱ値を大きくしなければ、可聴周波数を超えるバンドを抽出する帯域分割フィルターが可聴周波数の周波数成分も抽出し、可聴周波数を超えるバンドには音響信号を含んでいないにもかかわらず可聴周波数を超えるバンドのレベルとして誤表示するという問題がある。
【０００６】
本発明は、音響信号を所定バンド毎に各周波数成分を抽出し信号レベルの大小を表示する表示装置において、可聴周波数を超える周波数成分の信号レベルを検出して表示可能でありながら雑音成分により可聴周波数を超える周波数成分の信号レベルが誤表示されることを防ぐ表示装置を提供することを目的としてなされたものである。
【０００７】
【課題を解決するための手段】
この課題を解決するために本発明の表示装置は、複数の入力信号から所望の入力信号を選択する入力選択手段と、前記入力選択手段により選択された入力信号から所定のバンド毎に各周波数成分を抽出するバンドパスフィルタと、前記バンドパスフィルタにより抽出された各バンドの信号レベルを検出するレベル検出手段と、前記レベル検出手段によって検出された各バンドの信号レベルの大小を表示可能な表示手段と、前記表示手段における信号レベルの大小の表示あるいは非表示を前記各バンド毎に選択するバンド選択手段と、前記入力選択手段および前記バンド選択手段を制御する制御手段と、前記制御手段を操作する操作手段とを備え、前記制御手段は、前記操作手段の操作により前記入力選択手段の選択を切り換えるとともに、前記入力選択手段の選択に応じて前記バンド選択手段が各バンドの表示あるいは非表示の選択を切り換える構成としたものである。
【０００８】
これにより、音響信号を所定バンド毎に各周波数成分を抽出し信号レベルの大小を表示する表示装置において、可聴周波数を超える周波数成分の信号レベルを検出して表示可能でありながら雑音成分により可聴周波数を超える周波数成分の信号レベルが誤表示されることを防ぐことができる。
【０００９】
【発明の実施の形態】
本発明の請求項１に記載の発明は、複数の入力信号から所望の入力信号を選択する入力選択手段と、前記入力選択手段により選択された入力信号から所定のバンド毎に各周波数成分を抽出するバンドパスフィルタと、前記バンドパスフィルタにより抽出された各バンドの信号レベルを検出するレベル検出手段と、前記レベル検出手段によって検出された各バンドの信号レベルの大小を表示可能な表示手段と、前記表示手段における信号レベルの大小の表示あるいは非表示を前記各バンド毎に選択するバンド選択手段と、前記入力選択手段および前記バンド選択手段を制御する制御手段と、前記制御手段を操作する操作手段とを備え、前記制御手段は、前記操作手段の操作により前記入力選択手段の選択を切り換えるとともに、前記入力選択手段の選択に応じて前記バンド選択手段が各バンドの表示あるいは非表示の選択を切り換える構成としたことを特徴とする表示装置としたものであり、音響信号を所定バンド毎に各周波数成分を抽出し信号レベルの大小を表示する表示装置において、可聴周波数を超える周波数成分の信号レベルを検出して表示可能でありながら雑音成分により可聴周波数を超える周波数成分の信号レベルが誤表示されることを防ぐことができる。
【００１０】
請求項２に記載の発明は、請求項１記載の表示装置において、構造が異なる複数種類の記録媒体を再生可能な再生装置に備えられ、前記再生装置が再生する記録媒体の構造に応じて前記入力選択手段が入力信号の選択を行うとともに前記バンド選択手段が各バンドの表示あるいは非表示の選択を切り換える構成としたものであり、再生する記録媒体の構造から再生時に可聴周波数を超えるバンドにノイズが発生すると判断される場合には、当該バンドの信号レベルを非表示とすることにより可聴周波数を超える周波数成分の信号レベルを検出して表示可能でありながら雑音成分により可聴周波数を超える周波数成分の信号レベルが誤表示されることを防ぐことができる。
【００１１】
請求項３に記載の発明は、請求項１〜２記載の表示装置において、音響情報記録書式が異なる複数種類の記録媒体を再生可能な再生装置に備えられ、前記再生装置が再生する記録媒体の音響情報記録書式に応じて前記入力選択手段が入力信号の選択を行うとともに前記バンド選択手段が各バンドの表示あるいは非表示の選択を切り換える構成としたものであり、再生する記録媒体の音響情報記録書式から再生時に可聴周波数を超えるバンドにノイズが発生すると判断される場合には、当該バンドの信号レベルを非表示とすることにより可聴周波数を超える周波数成分の信号レベルを検出して表示可能でありながら雑音成分により可聴周波数を超える周波数成分の信号レベルが誤表示されることを防ぐことができる。
【００１２】
以下本発明の実施の形態について、図１から図３を用いて説明する。
【００１３】
（実施の形態１）
図１は本発明の一実施形態における表示装置を備えた再生装置のブロック図である。図１において、１はＭＤ再生部であり、ＭＤ（Ｍｉｎｉ  Ｄｉｓｃ）の再生に必要な機構および機構制御、再生信号をデコードするデコーダおよびコンバータを含んでおり、ＭＤから再生されたオーディオ信号を出力する。２はＣＤ／ＤＶＤ再生部であり、ＤＶＤ（Ｄｉｇｉｔａｌ  Ｖｅｒｓａｔｉｌｅ  Ｄｉｓｃ）とＣＤ（Ｃｏｍｐａｃｔ  Ｄｉｓｃ）のどちらでも再生することができる。構造が異なる記録媒体であるＤＶＤとＣＤ兼用の再生機構および機構制御と、複数種類の音響情報記録書式を再生可能なデコーダおよびコンバータを含んでいる。ＤＶＤあるいはＣＤから再生されたオーディオ信号を出力するとともに、記録媒体の構造および音響情報記録書式の種類についての判別情報を出力する。３はテープ再生部であり、カセットテープの再生に必要な機構および機構制御、再生信号を増幅するイコライザアンプを含んでおり、カセットテープから再生されたオーディオ信号を出力する。
４はチューナであり、所望の放送番組を受信してオーディオ信号を出力する。
【００１４】
５は表示装置であり、入力選択部５１、バンドパスフィルタ５２、レベル検出部５３、表示部５４、バンド選択部５５、制御部５６、操作部５７からなる。入力選択部５１は複数の入力オーディオ信号から所望のオーディオ信号を選択しする。バンドパスフィルタ５２は、１５個のバンドパスフィルタ５２１〜５２１５からなり、入力選択部５１が選択した入力信号から所定のバンド毎に各周波数成分を抽出する。各バンドパスフィルタにより抽出された周波数成分はレベル検出部５３の１５個のレベル検出部５３１〜５３１５により各々の信号レベルが検出される。各レベル検出部によって検出された信号レベルは、表示部５４によりその大小が表示されるが、表示部５４とレベル検出部５３の間にバンド選択部５５が設けられており、表示部５４における信号レベルの大小の表示あるいは非表示を各バンド毎に選択することができる。５６は制御部、５７は操作部であり、操作部５７を操作することにより、ＭＤ再生部１、ＣＤ／ＤＶＤ再生部２、テープ再生部３、チューナ４から、いずれか所望の入力を選択し、記録媒体の再生あるいは放送番組の受信することができる。この入力選択動作により入力選択部５１を所望の入力に切り換えるとともに、いずれの入力が選択されたか、およびＣＤ／ＤＶＤ再生部２が選択された場合にはＣＤ／ＤＶＤ再生部２が出力する記録媒体の構造および音響情報記録書式の種類についての判別情報により、バンド選択部５５を切り換えて表示部５４における信号レベルの大小の表示あるいは非表示を各バンド毎に選択する。
【００１５】
６は増幅部、７はスピーカであり、入力選択部５１により選択されたオーディオ信号を増幅部６で増幅し、スピーカ７で音響変換される。
【００１６】
図２は図１の操作部５７および表示部５４の説明図であり、図２（ａ）は図１の操作部５７の説明図である。５７１〜５７４は入力選択キーである。５７１はＭＤ選択キーであり押圧によりＭＤ再生部１の再生操作を選択する。５７２はＣＤ／ＤＶＤ選択キーであり押圧によりＣＤ／ＤＶＤ再生部２の再生操作を選択する。５７３はテープ選択キーであり押圧によりテープ再生部３の再生操作を選択する。５７４はチューナ選択キーであり押圧によりチューナ４の受信操作を選択する。５７５〜５７８は再生／受信操作キーであり、５７５はマイナス選曲／選局キー、５７６はストップキー、５７７は再生キー、５７８はプラス選曲／選局キーである。
【００１７】
図２（ｂ）は図１の表示部５４の説明図であり、３０〜９０ｋは当該バンドの中間周波数を示し、数字の上の矩形の長短により当該バンドのレベルの大小を表している。図２（ｂ）では、ＣＤ／ＤＶＤ再生部２の再生操作を選択しＦｓ（サンプリング周波数）が１２８ｋＨｚのＤＶＤを再生したときの表示例である。
【００１８】
以上のように構成された表示装置について、以下その動作について説明する。
【００１９】
図３は図１の制御部５６のフローチャートである。はじめに、入力選択キー５７１〜５７４の押圧状況を判定する。入力選択キー５７１〜５７４はいずれかのキーが押圧されると当該キーの選択状態が保持されるものであり、ＭＤ選択キー５７１が選択されている場合は入力選択部５１がＭＤ再生部１を選択するよう切り換える。同様にＣＤ／ＤＶＤ選択キー５７２の場合はＣＤ／ＤＶＤ再生部２、テープ選択キー５７３の場合はテープ再生部３、チューナ選択キー５７４が選択されている場合はチューナ４の出力に入力選択部５１を切り換える。（ステップ１〜ステップ５）
ＭＤ選択キー５７１、テープ選択キー５７３およびチューナ選択キー５７４が選択されている場合はバンド選択部５５の２２ｋＨｚ〜９０ｋＨｚをオフして当該バンドの出力は表示部５４に非表示とし、３１Ｈｚ〜１５ｋＨｚのバンドの出力を表示する。（ステップ６）
ＣＤ／ＤＶＤ選択キー５７２が選択されている場合はＣＤ／ＤＶＤ再生部２にセットされているディスクのディスク情報を読み取る。セットされているディスクがＤＶＤでなければバンド選択部５５の２２ｋＨｚ〜９０ｋＨｚをオフして当該バンドの出力は表示部５４に非表示とし、３１Ｈｚ〜１５ｋＨｚのバンドの出力を表示する。（ステップ８、ステップ６）
ＤＶＤであればセットされているディスクのＦｓを判定する。Ｆｓが４８ｋＨｚ以下ならばバンド選択部５５の２２ｋＨｚ〜９０ｋＨｚをオフして当該バンドの出力は表示部５４に非表示とし、３１Ｈｚ〜１５ｋＨｚのバンドの出力を表示する。Ｆｓが８８．２ｋＨｚ〜９６ｋＨｚならばバンド選択部５５の６４ｋＨｚ〜９０ｋＨｚをオフし当該バンドの出力は表示部５４に非表示とし、３１Ｈｚ〜４４ｋＨｚのバンドの出力を表示する。Ｆｓが１２８ｋＨｚ以上ならばバンド選択部５５を全てオンして全バンドの出力を表示部５４に表示する。（ステップ８〜ステップ１１、ステップ６）
５７１〜５７４は入力選択キーの押圧により選択された再生部あるいはチューナは再生／受信操作キー５７５〜５７８の押圧により再生あるいは受信の操作をすることができる。当該操作は公知技術であり説明は省略する。
【００２０】
選択された再生部あるいはチューナが再生／受信キー５７５〜５７８の操作により再生あるいは受信されると、当該オーディオ信号が入力選択部５１を経てバンドパスフィルタに入力される。バンドパスフィルタ５２に備えられた１５個のバンドパスフィルタ５２１〜５２１５により３１Ｈｚから９０ｋＨｚまでの各バンド毎に周波数成分が抽出される。抽出された各周波数成分は１５個のレベル検出部５３１〜５３１５により信号レベルが検出される。検出された各信号レベルはバンド選択部５５により、表示部５４に表示するバンドと表示しないバンドに選択される。
【００２１】
ＭＤ、ＣＤ、Ｆｓが４８ｋＨｚ以下のＤＶＤ、カセットテープの再生、あるいはチューナの受信のときには前述の制御により２２ｋＨｚ〜９０ｋＨｚまでの５バンドはバンド選択部５５でオフされ表示部５４に表示されず、３１Ｈｚ〜１５ｋＨｚまでの１０バンドのレベルの大小が表示部５４に表示される。例えばＣＤであればＦｓが４４．１ｋＨｚであるから、仮に１５バンド全てを表示部５４に表示した場合には４４ｋＨｚのバンドにサンプリングノイズによりレベルが誤表示されてしまうが、２２ｋＨｚ〜９０ｋＨｚの５バンドはバンド選択部５５でオフされており表示部５４にサンプリングノイズによる誤表示が発生しない。
【００２２】
Ｆｓが８８．２ｋＨｚ〜９６ｋＨｚのＤＶＤのときには６４ｋＨｚと９０ｋＨｚの２バンドはバンド選択部５５でオフされ表示部５４に表示されず、３１Ｈｚ〜４４ｋＨｚまでの１３バンドのレベルの大小が表示部５４に表示される。Ｆｓが１２８ｋＨｚ以上のときには全バンドがオンされ、３１Ｈｚ〜９０ｋＨｚまでの１５バンドのレベルの大小が表示部５４に表示される。
【００２３】
以上のように本実施形態によれば、ＭＤ、ＣＤ、カセットテープとＦｓ（サンプリング周波数）が異なる複数種類のＤＶＤを再生可能な再生装置に備えられ、複数の入力信号から所望の入力信号を選択する入力選択部５１と、入力選択部５１により選択された入力信号から所定のバンド毎に各周波数成分を抽出するバンドパスフィルタ５２と、バンドパスフィルタ５２により抽出された各バンドの信号レベルを検出するレベル検出部５３と、レベル検出部５３によって検出された各バンドの信号レベルの大小を表示可能な表示部５４と、表示部５４における信号レベルの大小の表示あるいは非表示を前記各バンド毎に選択するバンド選択部５５と、入力選択部５１および前記バンド選択部５５を制御する制御部５６と、制御部５６を操作する操作部５７とを備え、制御部５６は、操作部５７の操作により再生されるメディアの種類、当該メディアがＤＶＤの場合はそのＦｓに応じて入力選択部５１の選択を切り換えるとともに、入力選択部５１の選択に応じてバンド選択部５５が各バンドの表示あるいは非表示の選択を切り換える構成としたことを特徴とする表示装置５により、可聴周波数を超える２２ｋＨｚ〜９０ｋＨｚ周波数成分の信号レベルを検出して表示可能でありながら、再生するメディアの種類あるいはＦｓから再生時に可聴周波数を超えるバンドにノイズが発生すると判断される場合には、可聴周波数を超える周波数成分あるいはその一部のバンドを非表示とすることにより、信号レベルが誤表示されることを防ぐことができる。
【００２４】
【発明の効果】
以上のように本発明によれば、音響信号を所定バンド毎に各周波数成分を抽出し信号レベルの大小を表示する表示装置において、可聴周波数を超える周波数成分の信号レベルを検出して表示可能でありながら雑音成分により可聴周波数を超える周波数成分の信号レベルが誤表示されることを防ぐことができる。という有利な効果が得られる。
【図面の簡単な説明】
【図１】本発明の一実施形態における表示装置を備えた再生装置のブロック図
【図２】図１の操作部および表示部の説明図
【図３】図１の制御部５６のフローチャート
【符号の説明】
５  表示装置
５１  入力選択部
５２  バンドパスフィルタ
５３  レベル検出部
５４  表示部
５５  バンド選択部
５６  制御部
５７  操作部
【図１】
0004051853.tif 000002
【図２】
0004051853.tif 000003
【図３】
0004051853.tif 000004